(57)【特許請求の範囲】
【請求項１】
前壁１、側壁２及び後壁３を周壁をなすように連設して底板５，６で底面を閉止し、後壁３の上端に蓋板８を開閉自在に連設して、蓋板８の先端に蓋差片９を設け、前壁１に上端から２本の切込１５を入れて揺動部１６及び脇壁部１７を形成し、揺動部１６の先端に前差片１８を、蓋差片９の基端に差込穴１９をそれぞれ設け、蓋板８を閉じて、蓋差片９を前壁１に内接するように差し込み、揺動部１６の揺動に伴い、前差片１８を差込穴１９に差し込んで封緘する包装箱において、２本の切込１５を前壁１の下端まで到達させ、揺動部１６が前壁１の底稜線を軸に揺動するものとし、前壁１を外前板１０と内前板１１とから成る二重構造とし、脇壁部１７の内前板１１に受止段差２０を設け、揺動部１６の外前板１０が受止段差２０に当接して、揺動部１６の箱内への倒れ込みが阻止されるようにしたことを特徴とする包装箱。
【請求項２】
請求項１に記載の包装箱において、脇壁部１７の外前板１０に係合突起２１を設け、封緘時に揺動部１６の内前板１１が係合突起２１を撓ませつつ乗り越えて、揺動部１６の内前板１１と係合突起２１とが係合し、揺動部１６の箱外への傾動が阻止されるようにしたことを特徴とする包装箱。
【発明の詳細な説明】
【技術分野】
【０００１】
この発明は、商品の梱包に使用する差込ロック式の包装箱に関するものである。
【背景技術】
【０００２】
一般に、デジタルカメラや携帯電話機等の梱包に使用する包装箱として、図５に示すように、前壁５１、一対の側壁５２及び後壁５３を周壁をなすように連設して、底板５４，５５で底面を閉止し、各側壁５２の上端から延びるフラップ５６に、後壁５３の上端から延びる蓋板５７を重ねて天面を閉じるものが使用されている。
【０００３】
この包装箱は、蓋板５７の先端に設けた蓋差片５８を前壁５１に内接させて差し込み、前壁５１に上端から２本の切込を入れて、その内側に形成した揺動部５９を揺動させ、揺動部５９の先端に設けた前差片６０を、蓋差片５８の基端に設けた差込穴６１を差し込んで封緘するようになっている。
【発明の開示】
【発明が解決しようとする課題】
【０００４】
しかしながら、上記のような包装箱では、蓋板５７を開いて、開口部から収納物を取り出す際、周壁と収納物との間に手を入れる隙間がなく、収納物の取り出しが難しいという問題があった。
【０００５】
そこで、この発明は、手を入れて収納物を容易に取り出せる差込ロック式の包装箱を提供することを課題とする。
【課題を解決するための手段】
【０００６】
上記課題を解決するため、この発明は、後壁の上端に蓋板を開閉自在に連設して、蓋板の先端に蓋差片を設け、前壁に上端から２本の切込を入れて揺動部及び脇壁部を形成し、揺動部の先端に前差片を、蓋差片の基端に差込穴をそれぞれ設け、蓋板を閉じて、蓋差片を前壁に内接するように差し込み、揺動部の揺動に伴い、前差片を差込穴に差し込んで封緘する包装箱において、２本の切込を前壁の下端まで到達させ、揺動部が前壁の底稜線を軸に揺動するものとしたのである。
【０００７】
また、前壁を補強して揺動部の安定性を向上させるため、前壁を外前板と内前板とから成る二重構造とし、脇壁部の内前板に受止段差を設け、揺動部の外前板が受止段差に当接して、揺動部の箱内への倒れ込みが阻止されるようにしたのである。
【０００８】
さらに、脇壁部の外前板に係合突起を設け、封緘時に揺動部の内前板が係合突起を撓ませつつ乗り越えて、揺動部の内前板と係合突起とが係合し、揺動部の箱外への傾動が阻止されるようにしたのである。
【発明の効果】
【０００９】
この包装箱では、前差片を差込穴から引き抜いて、蓋板を開き、前壁の揺動部を箱外へ倒伏させると、揺動部の抜出部分が箱の底まで開くので、箱の底部に手を入れて、収納物を容易に取り出すことができる。
【００１０】
また、前壁を二重構造とし、その脇壁部に揺動部を係合させて、揺動部の箱内への倒れ込みや箱外への傾動を阻止すると、前壁の強度が確保され、平面性が保持されると共に、封緘状態が確実に維持され、堅固な梱包物とすることができる。
【発明を実施するための最良の形態】
【００１１】
以下、この発明の実施形態を添付図面に基づいて説明する。
【００１２】
この包装箱は、図１に示すような段ボール製のブランクから形成される。このブランクでは、前壁１の一側に側壁２、後壁３及び継代片４が順次連設され、他側に側壁２が連設されている。前壁１及び後壁３の下端には底板５が、側壁２の下端には底板６がそれぞれ連設され、側壁２の上端には蓋受片７が、後壁３の上端には蓋板８がそれぞれ連設されている。蓋板８の先端には蓋差片９が設けられている。
【００１３】
前壁１は、側壁２に挟まれた外前板１０の上端に内前板１１及び底当板１２を順次連設したものとされ、底板５の基端中間部には係止穴１３が、内前板１１の先端中間部には底当板１２を切り込んで係止突起１４がそれぞれ設けられている。
【００１４】
また、前壁１には、底板５及び底当板１２との境界間に亘って２本の切込１５が入れられ、その内側に揺動部１６が、外側に脇壁部１７がそれぞれ形成されている。揺動部１６には、外前板１０の上端から内前板１１への切込により前差片１８が設けられ、蓋差片９の基部には、蓋板８へかけて差込穴１９が設けられている。
【００１５】
また、前壁１の脇壁部１７には、切込１５を屈曲させて、内前板１１に外前板１０の対応部分よりも内側へ迫り出した受止段差２０が設けられると共に、外前板１０に内前板１１の対応部分よりも内側へ突出した係合突起２１が設けられている。
【００１６】
上記のようなブランクを組み立てて商品を梱包するには、図２に示すように、前壁１、一対の側壁２及び後壁３を角筒状に折り曲げ、継代片４を反対側の側壁２に貼り付け、底板５，６により箱の底面を閉止し、外前板１０から内前板１１を内側下方へ折り曲げ、底当板１２を底板５，６の上面に沿わせ、係止穴１３に係止突起１４を係合させる。
【００１７】
そして、箱内に商品を収納した後、一対の蓋受片７を内側へ折り曲げ、蓋板８を閉じ、蓋差片９を前壁１に内接するように差し込み、揺動片１６の揺動に伴い、前差片１８を差込穴１９に差し込んで封緘する。
【００１８】
一方、この包装箱から商品を取り出す際には、図３に示すように、前差片１８を差込穴１９から引き抜いて、図４に示すように、蓋板８を開き、前壁１の揺動部１６を箱外へ倒伏させると、揺動部１６の抜出部分が箱の底まで開くので、箱の底部に手を入れて、商品を容易に取り出すことができる。
【００１９】
また、この包装箱を、図４に示す開封状態から封緘する際には、図３及び図２に示すように、揺動部１６を起立させると、揺動部１６の内前板１１が係合突起２１を撓ませつつ乗り越えて、揺動部１６の外前板１０が受止段差２０に当接する。
【００２０】
これにより、揺動部１６の箱内への倒れ込みが阻止されると共に、揺動部１６の内前板１１と係合突起２１とが係合し、揺動部１６の箱外への傾動が阻止されるので、前壁１の強度が確保され、平面性が保持されると共に、封緘状態が確実に維持され、堅固な梱包物とすることができる。
【００２１】
なお、上記実施形態では、直方体状のものを示したが、六角柱状、八角柱状等の多角柱状のものにおいても、その後壁上端に蓋板を連設し、後壁に対向する前壁に上記のような揺動部１６及び脇壁部１７を形成することにより、商品を容易に取り出すことができ、強度も確保される構造とすることができる。
【図面の簡単な説明】
【００２２】
【図１】この発明の実施形態に係る包装箱のブランクを示す図
【図２】同上の封緘状態を示す斜視図
【図３】同上の開封封緘過程を示す斜視図
【図４】同上の開封状態を示す斜視図
【図５】従来の包装箱の開封封緘過程を示す斜視図
【符号の説明】
【００２３】
１  前壁
２  側壁
３  後壁
４  継代片
５，６  底板
７  蓋受片
８  蓋板
９  蓋差片
１０  外前板
１１  内前板
１２  底当板
１３  係止穴
１４  係止突起
１５  切込
１６  揺動部
１７  脇壁部
１８  前差片
１９  差込穴
２０  受止段差
２１  係合突起
【図１】
0004694289.tif 000002
【図２】
0004694289.tif 000003
【図３】
0004694289.tif 000004
【図４】
0004694289.tif 000005
【図５】
0004694289.tif 000006